(57)【特許請求の範囲】
【請求項１】
複数の色成分を含んで構成される動画像を符号化する動画像符号化装置であって、
フレーム内予測を行うフレーム内予測手段を備え、
前記フレーム内予測手段は、
色差予測対象ブロックに対応する輝度ブロックの周囲にある参照画素を、輝度イントラ予測モードに基づいて間引く適応間引き輝度参照画素間引き手段と、
前記適応間引き輝度参照画素間引き手段による間引き後の参照画素の画素値を取得する適応間引き輝度参照画素取得手段と、
前記色差予測対象ブロックの周囲にある参照画素を、前記輝度イントラ予測モードに基づいて間引く適応間引き色差参照画素間引き手段と、
前記適応間引き色差参照画素間引き手段による間引き後の参照画素の画素値を取得する適応間引き色差参照画素取得手段と、
前記適応間引き輝度参照画素取得手段により取得された画素値と、前記適応間引き色差参照画素取得手段により取得された画素値と、を用いて予測係数を導出する予測係数導出手段と、
前記色差予測対象ブロックに対応する輝度ブロックのローカル復号画素値と、前記予測係数導出手段により導出された予測係数と、を用いて当該色差予測対象ブロックを構成する各画素の予測画素値を線形予測する色差線形予測手段と、を有することを特徴とする動画像符号化装置。
【請求項２】
前記適応間引き輝度参照画素間引き手段および前記適応間引き色差参照画素間引き手段は、符号化単位が予め定められた最小符号化単位である場合にのみ前記間引きを行うことを特徴とする請求項１に記載の動画像符号化装置。
【請求項３】
前記適応間引き輝度参照画素間引き手段および前記適応間引き色差参照画素間引き手段は、符号化単位によらず常に前記間引きを行うことを特徴とする請求項１に記載の動画像符号化装置。
【請求項４】
前記適応間引き輝度参照画素間引き手段および前記適応間引き色差参照画素間引き手段は、前記間引きを行って、参照画素数を１／ｎにする（ただし、ｎは、ｎ＞０を満たす任意の２のべき乗）ことを特徴とする請求項１から３のいずれかに記載の動画像符号化装置。
【請求項５】
前記動画像は、ＹＵＶ４２２形式の動画像であることを特徴とする請求項１から４のいずれかに記載の動画像符号化装置。
【請求項６】
処理ブロックのサイズは、８×８であることを特徴とする請求項１から５のいずれかに記載の動画像符号化装置。
【請求項７】
複数の色成分を含んで構成される動画像を復号する動画像復号装置であって、
フレーム内予測を行うフレーム内予測手段を備え、
前記フレーム内予測手段は、
色差予測対象ブロックに対応する輝度ブロックの周囲にある参照画素を、輝度イントラ予測モードに基づいて間引く適応間引き輝度参照画素間引き手段と、
前記適応間引き輝度参照画素間引き手段による間引き後の参照画素の画素値を取得する適応間引き輝度参照画素取得手段と、
前記色差予測対象ブロックの周囲にある参照画素を、前記輝度イントラ予測モードに基づいて間引く適応間引き色差参照画素間引き手段と、
前記適応間引き色差参照画素間引き手段による間引き後の参照画素の画素値を取得する適応間引き色差参照画素取得手段と、
前記適応間引き輝度参照画素取得手段により取得された画素値と、前記適応間引き色差参照画素取得手段により取得された画素値と、を用いて予測係数を導出する予測係数導出手段と、
前記色差予測対象ブロックに対応する輝度ブロックのローカル復号画素値と、前記予測係数導出手段により導出された予測係数と、を用いて当該色差予測対象ブロックを構成する各画素の予測画素値を線形予測する色差線形予測手段と、を有することを特徴とする動画像復号装置。
【請求項８】
前記適応間引き輝度参照画素間引き手段および前記適応間引き色差参照画素間引き手段は、復号単位が予め定められた最小復号単位である場合にのみ前記間引きを行うことを特徴とする請求項７に記載の動画像復号装置。
【請求項９】
前記適応間引き輝度参照画素間引き手段および前記適応間引き色差参照画素間引き手段は、復号単位によらず常に前記間引きを行うことを特徴とする請求項７に記載の動画像復号装置。
【請求項１０】
前記適応間引き輝度参照画素間引き手段および前記適応間引き色差参照画素間引き手段は、前記間引きを行って、参照画素数を１／ｎにする（ただし、ｎは、ｎ＞０を満たす任意の２のべき乗）ことを特徴とする請求項７から９のいずれかに記載の動画像復号装置。
【請求項１１】
前記動画像は、ＹＵＶ４２２形式の動画像であることを特徴とする請求項７から１０のいずれかに記載の動画像復号装置。
【請求項１２】
処理ブロックのサイズは、８×８であることを特徴とする請求項７から１１のいずれかに記載の動画像復号装置。
【請求項１３】
複数の色成分を含んで構成される動画像を符号化する動画像符号化装置と、複数の色成分を含んで構成される動画像を復号する動画像復号装置と、を備える動画像システムであって、
前記動画像符号化装置は、フレーム内予測を行う符号化側フレーム内予測手段を備え、
前記符号化側フレーム内予測手段は、
色差予測対象ブロックに対応する輝度ブロックの周囲にある参照画素を、輝度イントラ予測モードに基づいて間引く符号化側適応間引き輝度参照画素間引き手段と、
前記符号化側適応間引き輝度参照画素間引き手段による間引き後の参照画素の画素値を取得する符号化側適応間引き輝度参照画素取得手段と、
前記色差予測対象ブロックの周囲にある参照画素を、前記輝度イントラ予測モードに基づいて間引く符号化側適応間引き色差参照画素間引き手段と、
前記符号化側適応間引き色差参照画素間引き手段による間引き後の参照画素の画素値を取得する符号化側適応間引き色差参照画素取得手段と、
前記符号化側適応間引き輝度参照画素取得手段により取得された画素値と、前記符号化側適応間引き色差参照画素取得手段により取得された画素値と、を用いて予測係数を導出する符号化側予測係数導出手段と、
前記色差予測対象ブロックに対応する輝度ブロックのローカル復号画素値と、前記符号化側予測係数導出手段により導出された予測係数と、を用いて当該色差予測対象ブロックを構成する各画素の予測画素値を線形予測する符号化側色差線形予測手段と、を有し、
前記動画像復号装置は、フレーム内予測を行う復号側フレーム内予測手段を備え、
前記復号側フレーム内予測手段は、
色差予測対象ブロックに対応する輝度ブロックの周囲にある参照画素を、前記輝度イントラ予測モードに基づいて間引く復号側適応間引き輝度参照画素間引き手段と、
前記復号側適応間引き輝度参照画素間引き手段による間引き後の参照画素の画素値を取得する復号側適応間引き輝度参照画素取得手段と、
前記色差予測対象ブロックの周囲にある参照画素を、前記輝度イントラ予測モードに基づいて間引く復号側適応間引き色差参照画素間引き手段と、
前記復号側適応間引き色差参照画素間引き手段による間引き後の参照画素の画素値を取得する復号側適応間引き色差参照画素取得手段と、
前記復号側適応間引き輝度参照画素取得手段により取得された画素値と、前記復号側適応間引き色差参照画素取得手段により取得された画素値と、を用いて予測係数を導出する復号側予測係数導出手段と、
前記色差予測対象ブロックに対応する輝度ブロックのローカル復号画素値と、前記復号側予測係数導出手段により導出された予測係数と、を用いて当該色差予測対象ブロックを構成する各画素の予測画素値を線形予測する復号側色差線形予測手段と、を有することを特徴とする動画像システム。
【請求項１４】
適応間引き輝度参照画素間引き手段、適応間引き輝度参照画素取得手段、適応間引き色差参照画素間引き手段、適応間引き色差参照画素取得手段、予測係数導出手段、および色差線形予測手段を有してフレーム内予測を行うフレーム内予測手段を備え、複数の色成分を含んで構成される動画像を符号化する動画像符号化装置における動画像符号化方法であって、
前記適応間引き輝度参照画素間引き手段が、色差予測対象ブロックに対応する輝度ブロックの周囲にある参照画素を、輝度イントラ予測モードに基づいて間引く第１のステップと、
前記適応間引き輝度参照画素取得手段が、前記適応間引き輝度参照画素間引き手段による間引き後の参照画素の画素値を取得する第２のステップと、
前記適応間引き色差参照画素間引き手段が、前記色差予測対象ブロックの周囲にある参照画素を、前記輝度イントラ予測モードに基づいて間引く第３のステップと、
前記適応間引き色差参照画素取得手段が、前記適応間引き色差参照画素間引き手段による間引き後の参照画素の画素値を取得する第４のステップと、
前記予測係数導出手段が、前記適応間引き輝度参照画素取得手段により取得された画素値と、前記適応間引き色差参照画素取得手段により取得された画素値と、を用いて予測係数を導出する第５のステップと、
前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、を備えることを特徴とする動画像符号化方法。
【請求項１５】
適応間引き輝度参照画素間引き手段、適応間引き輝度参照画素取得手段、適応間引き色差参照画素間引き手段、適応間引き色差参照画素取得手段、予測係数導出手段、および色差線形予測手段を有してフレーム内予測を行うフレーム内予測手段を備え、複数の色成分を含んで構成される動画像を復号する動画像復号装置における動画像復号方法であって、
前記適応間引き輝度参照画素間引き手段が、色差予測対象ブロックに対応する輝度ブロックの周囲にある参照画素を、輝度イントラ予測モードに基づいて間引く第１のステップと、
前記適応間引き輝度参照画素取得手段が、前記適応間引き輝度参照画素間引き手段による間引き後の参照画素の画素値を取得する第２のステップと、
前記適応間引き色差参照画素間引き手段が、前記色差予測対象ブロックの周囲にある参照画素を、前記輝度イントラ予測モードに基づいて間引く第３のステップと、
前記適応間引き色差参照画素取得手段が、前記適応間引き色差参照画素間引き手段による間引き後の参照画素の画素値を取得する第４のステップと、
前記予測係数導出手段が、前記適応間引き輝度参照画素取得手段により取得された画素値と、前記適応間引き色差参照画素取得手段により取得された画素値と、を用いて予測係数を導出する第５のステップと、
前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、を備えることを特徴とする動画像復号方法。
【請求項１６】
適応間引き輝度参照画素間引き手段、適応間引き輝度参照画素取得手段、適応間引き色差参照画素間引き手段、適応間引き色差参照画素取得手段、予測係数導出手段、および色差線形予測手段を有してフレーム内予測を行うフレーム内予測手段を備え、複数の色成分を含んで構成される動画像を符号化する動画像符号化装置における動画像符号化方法を、コンピュータに実行させるためのプログラムであって、
前記適応間引き輝度参照画素間引き手段が、色差予測対象ブロックに対応する輝度ブロックの周囲にある参照画素を、輝度イントラ予測モードに基づいて間引く第１のステップと、
前記適応間引き輝度参照画素取得手段が、前記適応間引き輝度参照画素間引き手段による間引き後の参照画素の画素値を取得する第２のステップと、
前記適応間引き色差参照画素間引き手段が、前記色差予測対象ブロックの周囲にある参照画素を、前記輝度イントラ予測モードに基づいて間引く第３のステップと、
前記適応間引き色差参照画素取得手段が、前記適応間引き色差参照画素間引き手段による間引き後の参照画素の画素値を取得する第４のステップと、
前記予測係数導出手段が、前記適応間引き輝度参照画素取得手段により取得された画素値と、前記適応間引き色差参照画素取得手段により取得された画素値と、を用いて予測係数を導出する第５のステップと、
前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、をコンピュータに実行させるためのプログラム。
【請求項１７】
適応間引き輝度参照画素間引き手段、適応間引き輝度参照画素取得手段、適応間引き色差参照画素間引き手段、適応間引き色差参照画素取得手段、予測係数導出手段、および色差線形予測手段を有してフレーム内予測を行うフレーム内予測手段を備え、複数の色成分を含んで構成される動画像を復号する動画像復号装置における動画像復号方法を、コンピュータに実行させるためのプログラムであって、
前記適応間引き輝度参照画素間引き手段が、色差予測対象ブロックに対応する輝度ブロックの周囲にある参照画素を、輝度イントラ予測モードに基づいて間引く第１のステップと、
前記適応間引き輝度参照画素取得手段が、前記適応間引き輝度参照画素間引き手段による間引き後の参照画素の画素値を取得する第２のステップと、
前記適応間引き色差参照画素間引き手段が、前記色差予測対象ブロックの周囲にある参照画素を、前記輝度イントラ予測モードに基づいて間引く第３のステップと、
前記適応間引き色差参照画素取得手段が、前記適応間引き色差参照画素間引き手段による間引き後の参照画素の画素値を取得する第４のステップと、
前記予測係数導出手段が、前記適応間引き輝度参照画素取得手段により取得された画素値と、前記適応間引き色差参照画素取得手段により取得された画素値と、を用いて予測係数を導出する第５のステップと、
前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、をコンピュータに実行させるためのプログラム。
【発明の詳細な説明】
【技術分野】
【０００１】
本発明は、動画像符号化装置、動画像復号装置、動画像システム、動画像符号化方法、動画像復号方法、およびプログラムに関する。
【背景技術】
【０００２】
イントラ予測およびインター予測と、残差変換と、を用いた動画像符号化方式として、ＨＥＶＣ（High  Efficiency  Video  Coding）が提案されている（例えば、非特許文献１参照）。【０００３】
［動画像符号化装置ＭＭの構成および動作］
図１５は、上述の動画像符号化方式を利用して動画像を符号化する、従来例に係る動画像符号化装置ＭＭのブロック図である。動画像符号化装置ＭＭは、インター予測部１０、イントラ予測部２０、変換・量子化部３０、エントロピー符号化部４０、逆量子化・逆変換部５０、インループフィルタ部６０、第１のバッファ部７０、および第２のバッファ部８０を備える。【０００４】
インター予測部１０は、入力画像ａと、第１のバッファ部７０から供給される後述のローカルデコード画像ｇと、を入力とする。このインター予測部１０は、入力画像ａおよびローカルデコード画像ｇを用いてインター予測（フレーム間予測）を行ってインター予測画像ｂを生成し、出力する。【０００５】
イントラ予測部２０は、入力画像ａと、第２のバッファ部８０から供給される後述のローカル復号画像ｆと、を入力とする。このイントラ予測部２０は、入力画像ａおよびローカル復号画像ｆを用いてイントラ予測（フレーム内予測）を行ってイントラ予測画像ｃを生成し、出力する。【０００６】
変換・量子化部３０は、入力画像ａと、インター予測画像ｂまたはイントラ予測画像ｃと、の誤差（残差）信号を入力とする。この変換・量子化部３０は、入力された残差信号を変換および量子化して量子化係数ｄを生成し、出力する。【０００７】
エントロピー符号化部４０は、量子化係数ｄと、図示しないサイド情報と、を入力とする。このエントロピー符号化部４０は、入力された信号をエントロピー符号化し、ビットストリームｚとして出力する。【０００８】
逆量子化・逆変換部５０は、量子化係数ｄを入力とする。この逆量子化・逆変換部５０は、量子化係数ｄを逆量子化および逆変換して、逆変換された残差信号ｅを生成し、出力する。【０００９】
第２のバッファ部８０は、ローカル復号画像ｆを蓄積し、適宜、イントラ予測部２０およびインループフィルタ部６０に供給する。ローカル復号画像ｆとは、インター予測画像ｂまたはイントラ予測画像ｃと、逆変換された残差信号ｅと、を合算した信号のことである。【００１０】
インループフィルタ部６０は、ローカル復号画像ｆを入力とする。このインループフィルタ部６０は、ローカル復号画像ｆに対してデブロックフィルタといったフィルタを適用して、ローカルデコード画像ｇを生成し、出力する。【００１１】
第１のバッファ部７０は、ローカルデコード画像ｇを蓄積し、適宜、インター予測部１０に供給する。【００１２】
［動画像復号装置ＮＮの構成および動作］
図１６は、動画像符号化装置ＭＭにより生成されたビットストリームｚから動画像を復号する、従来例に係る動画像復号装置ＮＮのブロック図である。動画像復号装置ＮＮは、エントロピー復号部１１０、逆変換・逆量子化部１２０、インター予測部１３０、イントラ予測部１４０、インループフィルタ部１５０、第１のバッファ部１６０、および第２のバッファ部１７０を備える。【００１３】
エントロピー復号部１１０は、ビットストリームｚを入力とする。このエントロピー復号部１１０は、ビットストリームｚについてエントロピー復号して、量子化係数Ｂを生成し、出力する。【００１４】
逆変換・逆量子化部１２０、インター予測部１３０、イントラ予測部１４０、インループフィルタ部１５０、第１のバッファ部１６０、および第２のバッファ部１７０は、それぞれ、図１５に示した逆量子化・逆変換部５０、インター予測部１０、イントラ予測部２０、インループフィルタ部６０、第１のバッファ部７０、および第２のバッファ部８０と同様に動作する。【００１５】
（イントラ予測の詳細）
上述のイントラ予測について、以下に詳述する。イントラ予測について、非特許文献１には、色成分ごとに、符号化済みの再構成された画素である参照画素の画素値を用いて符号化対象ブロックの画素値を予測することが示されている。また、輝度成分の予測方法としては、図１７に示すように、ＤＣと、Ｐｌａｎａｒと、３３方向の方向予測と、の全３５種類が示されている。また、色差成分の予測方法としては、輝度成分と同じ予測種別を用いる方法と、輝度成分とは独立したＤＣ、Ｐｌａｎａｒ、水平、垂直と、が示されている。これらによれば、色成分ごとに空間的な冗長性を削減することができる。【００１６】
また、非特許文献２には、色成分間の冗長性を削減する手法として、ＬＭモードが示されている。例えばＹＵＶ４２０形式の画像に対してＬＭモードを利用する場合について、図１８を用いて説明する。【００１７】
図１８の（Ａ）は、色差成分の画素を示し、図１８の（Ｂ）は、輝度成分の画素を示す。ＬＭモードでは、図１８の（Ｂ）の１６個の白丸で示される画素において再構成された輝度成分を用いて、以下の数式（１）に示す予測式を用いて色差成分を線形予測する。【００１８】
【数１】
0006023332.tif 000002
【００１９】
数式（１）において、ＰＬは、輝度成分の画素値を示し、ｐｒｅｄｃは、色差成分の予測画素値を示す。また、αおよびβは、図１８の（Ａ）の８個の黒丸と図１８の（Ｂ）の８個の黒丸とで示される参照画素を用いて求めることのできるパラメータを示し、以下の数式（２）、（３）により定まる。【００２０】
【数２】
0006023332.tif 000003
【００２１】
【数３】
0006023332.tif 000004
【００２２】
数式（２）において、Ｒは内積計算を示し、数式（３）において、Ｍは平均値計算を示し、数式（２）、（３）において、Ｐ’Ｃは色差成分の参照画素の画素値を示す。また、Ｐ＾Ｌは、輝度と色差との位相を考慮した輝度成分の画素値を示し、以下の数式（４）により定まる。【００２３】
【数４】
0006023332.tif 000005
【００２４】
なお、上部の参照画素については、メモリアクセスを削減するために、位相がずれたままである。また、色差予測は、ＴＵ（Transform  Unit）と呼ばれる最小処理ブロックごとに行われる。【００２５】
また、上述のＹＵＶ４２０形式の画像に対するＬＭモードを拡張して、ＹＵＶ４２２形式の画像に対して利用する場合には、図１９に示すように、垂直方向の参照画素が増加する。【００２６】
図２０は、上述のＬＭモードを用いてイントラ予測を行うイントラ予測部２０、１４０のブロック図である。イントラ予測部２０、１４０は、それぞれ、輝度参照画素取得部２１、色差参照画素取得部２２、予測係数導出部２３、および色差線形予測部２４を備える。【００２７】
輝度参照画素取得部２１は、ローカル復号画像ｆの輝度成分を入力とする。この輝度参照画素取得部２１は、色差予測対象ブロックに対応する輝度ブロックの周囲にある参照画素の画素値を取得して位相を調整し、輝度参照画素値ｈとして出力する。【００２８】
色差参照画素取得部２２は、ローカル復号画像ｆの色差成分を入力とする。この色差参照画素取得部２２は、色差予測対象ブロックの周囲にある参照画素の画素値を取得して、色差参照画素値ｉとして出力する。【００２９】
予測係数導出部２３は、輝度参照画素値ｈと、色差参照画素値ｉと、を入力とする。この予測係数導出部２３は、これら入力された画素値を用いて、上述の数式（２）から（４）によりパラメータα、βを求め、予測係数ｊとして出力する。【００３０】
色差線形予測部２４は、ローカル復号画像ｆの輝度成分と、予測係数ｊと、を入力とする。この色差線形予測部２４は、これら入力された信号を用いて、上述の数式（１）により色差成分の予測画素値を求め、色差予測画素値ｋとして出力する。【００３１】
ところで、利用可能なメモリ容量は、半導体技術の進歩に伴って増加している。しかし、メモリ容量が増加するに従って、メモリアクセスの粒度が大きくなる。一方、メモリ帯域は、メモリ容量の増加と比べて、あまり広くなっていない。動画像の符号化および復号では、メモリが用いられるため、メモリアクセスの粒度やメモリ帯域がボトルネックになっていた。【００３２】
また、計算コアに最も近いメモリ（例えば、ＳＲＡＭなど）は、外部メモリ（例えば、ＤＲＡＭなど）に比べて製造コストも消費電力も高い。このため、計算コアに最も近いメモリのメモリ容量は、できる限り少なくできることが好ましい。しかし、仕様書に定められた最悪値であっても、動画像の復号が可能でなければならないため、計算コアに最も近いメモリは、平均的なメモリ要求（粒度、サイズ、個数など）ではなく、最悪値でのメモリ要求を満たすことができなければならない。【００３３】
ＬＭモードでは、上述のように、ＴＵごとにパラメータの導出が行われるため、参照画素数が増加し、計算回数およびメモリアクセス回数が多くなる。【００３４】
例えば、ＹＵＶ４２０形式の画像に対してＬＭモードを利用する場合における、パラメータ導出のための計算回数および参照画素数について、以下に検討する。最大処理ブロックであるＬＣＵ（Largest  Coding  Unit）のサイズは、非特許文献１のmain  profileにおいて６４×６４と規定されており、最小処理ブロックである最小ＣＵのサイズは、４×４である。また、ＹＵＶ４２０形式では、色差が１／４の画素数であるため、最小計算ブロックは、輝度成分において８×８になる。このため、パラメータ導出のための計算回数は、（６４÷８）２＝６４回となり、参照画素数は、２８×６４となる
【００３５】
そこで、非特許文献２には、非ＹＵＶ４２０形式の画像に対してパラメータ導出のための計算回数の最悪値を削減するために、ＣＵ（Coding  Unit）ごとにパラメータを導出する手法が示されている。ＴＵごとにパラメータを導出した場合と、ＣＵごとにパラメータを導出した場合と、における計算回数および参照画素数を、図２１に示す。【００３６】
以上のように、ＬＭモードでは、色成分間の冗長性を削減できる。しかし、ＣＴＵ単位で考える場合、パラメータ導出に用いる最悪値の参照画素数が多いという課題がある。【００３７】
そこで、非特許文献３に、非ＹＵＶ４２０形式の画像に対するＬＭモードの参照画素数を減少させる手法が示されている。【００３８】
例えば、ＹＵＶ４２２形式の画像に対して非特許文献３の手法を適用した場合について、図２２を用いて説明する。この場合、予測対象ブロックの長辺の周囲の参照画素数が、図１９に示した場合と比べて半分になる。このため、図２４に示すように、輝度参照画素数および色差参照画素数がともに８画素になる。【００３９】
また、ＹＵＶ４４４形式の画像に対して非特許文献３の手法を適用した場合について、図２３を用いて説明する。この場合にも、予測対象ブロックの長辺の周囲の参照画素数が半分になる。このため、図２４に示すように、輝度参照画素数および色差参照画素数がともに８画素になる。
【先行技術文献】
【非特許文献】
【００４０】
【非特許文献１】JCTVC-L1003,  High  Efficiency  Video  Coding  (HEVC)  Range  Extensions  text  specification:  Draft  2  (for  PDAM).
【非特許文献２】JCTVC-M0097,  RCE1:  The  performance  of  extended  chroma  mode  for  non  4:2:0  format.
【非特許文献３】JCTVC-M0412,  AHG5:  CU  based  chroma  intra  prediction  with  reduced  reference.
【発明の概要】
【発明が解決しようとする課題】
【００４１】
非特許文献３に示されている手法は、参照画素数の減少を、参照画素を一様に間引くことによって実現する。このため、参照画素を間引くに際して、画像の特性を考慮しておらず、符号化性能が低下するおそれがあった。【００４２】
そこで、本発明は、上述の課題を鑑みてなされたものであり、符号化性能の低下を抑制しつつ、色成分間の冗長性を削減するために参照する参照画素数を減少させることを目的とする。
【課題を解決するための手段】
【００４３】
本発明は、上記の課題を解決するために、以下の事項を提案している。
（１）  本発明は、複数の色成分を含んで構成される動画像を符号化する動画像符号化装置（例えば、図１の動画像符号化装置ＡＡに相当）であって、フレーム内予測を行うフレーム内予測手段（例えば、図１のイントラ予測部２０Ａに相当）を備え、前記フレーム内予測手段は、色差予測対象ブロックに対応する輝度ブロックの周囲にある参照画素を、輝度イントラ予測モードに基づいて間引く適応間引き輝度参照画素間引き手段（例えば、図２の適応間引き輝度参照画素取得部２１Ａに相当）と、前記適応間引き輝度参照画素間引き手段による間引き後の参照画素の画素値を取得する適応間引き輝度参照画素取得手段（例えば、図２の適応間引き輝度参照画素取得部２１Ａに相当）と、前記色差予測対象ブロックの周囲にある参照画素を、前記輝度イントラ予測モードに基づいて間引く適応間引き色差参照画素間引き手段（例えば、図２の適応間引き色差参照画素取得部２２Ａに相当）と、前記適応間引き色差参照画素間引き手段による間引き後の参照画素の画素値を取得する適応間引き色差参照画素取得手段（例えば、図２の適応間引き色差参照画素取得部２２Ａに相当）と、前記適応間引き輝度参照画素取得手段により取得された画素値と、前記適応間引き色差参照画素取得手段により取得された画素値と、を用いて予測係数を導出する予測係数導出手段（例えば、図２の予測係数導出部２３に相当）と、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する色差線形予測手段（例えば、図２の色差線形予測部２４に相当）と、を有することを特徴とする動画像符号化装置を提案している。【００４４】
この発明によれば、フレーム内予測において、色差予測対象ブロックに対応する輝度ブロックの周囲にある参照画素と、色差予測対象ブロックの周囲にある参照画素と、を輝度イントラ予測モードに基づいて間引くこととした。このため、参照画素を輝度成分の予測方法に基づいて間引くことができるので、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。【００４５】
（２）  本発明は、（１）の動画像符号化装置について、前記適応間引き輝度参照画素間引き手段および前記適応間引き色差参照画素間引き手段は、符号化単位が予め定められた最小符号化単位である場合にのみ前記間引きを行うことを特徴とする動画像符号化装置を提案している。【００４６】
この発明によれば、（１）の動画像符号化装置において、符号化単位が予め定められた最小符号化単位である場合にのみ、上述の間引きを行うこととした。このため、色成分間の冗長性を削減するために参照する参照画素数を、符号化単位が予め定められた最小符号化単位である場合にのみ減少させることができる。【００４７】
（３）  本発明は、（１）の動画像符号化装置について、前記適応間引き輝度参照画素間引き手段および前記適応間引き色差参照画素間引き手段は、符号化単位によらず常に前記間引きを行うことを特徴とする動画像符号化装置を提案している。【００４８】
この発明によれば、（１）の動画像符号化装置において、符号化単位によらず常に、上述の間引きを行うこととした。このため、色成分間の冗長性を削減するために参照する参照画素数を、符号化単位によらず常に減少させることができる。【００４９】
（４）  本発明は、（１）から（３）のいずれかの動画像符号化装置について、前記適応間引き輝度参照画素間引き手段および前記適応間引き色差参照画素間引き手段は、前記間引きを行って、参照画素数を１／ｎにする（ただし、ｎは、ｎ＞０を満たす任意の２のべき乗）ことを特徴とする動画像符号化装置を提案している。【００５０】
この発明によれば、（１）から（３）のいずれかの動画像符号化装置において、参照画素を間引くことで、参照画素数を１／ｎにすることとした。このため、ｎの値を設定することで、符号化性能の低下の抑制と、色成分間の冗長性を削減するために参照する参照画素数の減少と、を調整することができる。【００５１】
（５）  本発明は、（１）から（４）のいずれかの動画像符号化装置について、前記動画像は、ＹＵＶ４２２形式の動画像であることを特徴とする動画像符号化装置を提案している。【００５２】
この発明によれば、（１）から（４）のいずれかの動画像符号化装置において、動画像を、ＹＵＶ４２２形式の動画像とした。このため、ＹＵＶ４２２形式の動画像において、色差成分の画素ブロックが長方形になっても、参照画素数を２のべき乗個となるように間引くことが可能となるので、割り算といった演算をシフト演算で実現することができる。【００５３】
（６）  本発明は、（１）から（５）のいずれかの動画像符号化装置について、処理ブロックのサイズは、８×８であることを特徴とする動画像符号化装置を提案している。【００５４】
ここで、仮に、処理ブロックのサイズを４×４にした場合、参照画素を間引きすぎてしまうため予測係数の精度が低下してしまうとともに、ＣＴＵ（６４×６４）内の演算回数が１６×１６＝２５６回となって膨大になってしまう。一方、処理ブロックのサイズを１６×１６にした場合、参照画素を間引きすぎてしまわないので予測係数の精度は向上するものの、処理ブロック内の細かい特性を反映することができないため符号化性能が低下してしまう。【００５５】
そこで、この発明によれば、（１）から（５）のいずれかの動画像符号化装置において、処理ブロックのサイズを、８×８とした。このため、参照画素を間引きすぎてしまわないようにして、予測係数の精度を向上させることができるとともに、ＣＴＵ内の演算回数を抑制しつつ処理ブロック内の細かい特性を反映して、符号化性能を向上させることができる。【００５６】
（７）  本発明は、複数の色成分を含んで構成される動画像を復号する動画像復号装置（例えば、図９の動画像復号装置ＢＢに相当）であって、フレーム内予測を行うフレーム内予測手段（例えば、図９のイントラ予測部１４０Ａに相当）を備え、前記フレーム内予測手段は、色差予測対象ブロックに対応する輝度ブロックの周囲にある参照画素を、輝度イントラ予測モードに基づいて間引く適応間引き輝度参照画素間引き手段（例えば、図２の適応間引き輝度参照画素取得部２１Ａに相当）と、前記適応間引き輝度参照画素間引き手段による間引き後の参照画素の画素値を取得する適応間引き輝度参照画素取得手段（例えば、図２の適応間引き輝度参照画素取得部２１Ａに相当）と、前記色差予測対象ブロックの周囲にある参照画素を、前記輝度イントラ予測モードに基づいて間引く適応間引き色差参照画素間引き手段（例えば、図２の適応間引き色差参照画素取得部２２Ａに相当）と、前記適応間引き色差参照画素間引き手段による間引き後の参照画素の画素値を取得する適応間引き色差参照画素取得手段（例えば、図２の適応間引き色差参照画素取得部２２Ａに相当）と、前記適応間引き輝度参照画素取得手段により取得された画素値と、前記適応間引き色差参照画素取得手段により取得された画素値と、を用いて予測係数を導出する予測係数導出手段（例えば、図２の予測係数導出部２３に相当）と、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する色差線形予測手段（例えば、図２の色差線形予測部２４に相当）と、を有することを特徴とする動画像復号装置を提案している。【００５７】
この発明によれば、フレーム内予測において、色差予測対象ブロックに対応する輝度ブロックの周囲にある参照画素と、色差予測対象ブロックの周囲にある参照画素と、を輝度イントラ予測モードに基づいて間引くこととした。このため、参照画素を輝度成分の予測方法に基づいて間引くことができるので、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。【００５８】
（８）  本発明は、（７）の動画像復号装置について、前記適応間引き輝度参照画素間引き手段および前記適応間引き色差参照画素間引き手段は、復号単位が予め定められた最小復号単位である場合にのみ前記間引きを行うことを特徴とする動画像復号装置を提案している。【００５９】
この発明によれば、（７）の動画像復号装置において、復号単位が予め定められた最小復号単位である場合にのみ、上述の間引きを行うこととした。このため、色成分間の冗長性を削減するために参照する参照画素数を、復号単位が予め定められた最小復号単位である場合にのみ減少させることができる。【００６０】
（９）  本発明は、（７）の動画像復号装置について、前記適応間引き輝度参照画素間引き手段および前記適応間引き色差参照画素間引き手段は、復号単位によらず常に前記間引きを行うことを特徴とする動画像復号装置を提案している。【００６１】
この発明によれば、（７）の動画像復号装置において、復号単位によらず常に、上述の間引きを行うこととした。このため、色成分間の冗長性を削減するために参照する参照画素数を、復号単位によらず常に減少させることができる。
【００６２】
（１０）  本発明は、（７）から（９）のいずれかの動画像復号装置について、前記適応間引き輝度参照画素間引き手段および前記適応間引き色差参照画素間引き手段は、前記間引きを行って、参照画素数を１／ｎにする（ただし、ｎは、ｎ＞０を満たす任意の２のべき乗）ことを特徴とする動画像復号装置を提案している。【００６３】
この発明によれば、（７）から（９）のいずれかの動画像復号装置において、参照画素を間引くことで、参照画素数を１／ｎにすることとした。このため、ｎの値を設定することで、符号化性能の低下の抑制と、色成分間の冗長性を削減するために参照する参照画素数の減少と、を調整することができる。【００６４】
（１１）  本発明は、（７）から（１０）のいずれかの動画像復号装置について、前記動画像は、ＹＵＶ４２２形式の動画像であることを特徴とする動画像復号装置を提案している。【００６５】
この発明によれば、（７）から（１０）のいずれかの動画像復号装置において、動画像を、ＹＵＶ４２２形式の動画像とした。このため、ＹＵＶ４２２形式の動画像において、色差成分の画素ブロックが長方形になっても、参照画素数を２のべき乗個となるように間引くことが可能となるので、割り算といった演算をシフト演算で実現することができる。【００６６】
（１２）  本発明は、（７）から（１１）のいずれかの動画像復号装置について、処理ブロックのサイズは、８×８であることを特徴とする動画像復号装置を提案している。【００６７】
ここで、仮に、処理ブロックのサイズを４×４にした場合、参照画素を間引きすぎてしまうため予測係数の精度が低下してしまうとともに、ＣＴＵ（６４×６４）内の演算回数が１６×１６＝２５６回となって膨大になってしまう。一方、処理ブロックのサイズを１６×１６にした場合、参照画素を間引きすぎてしまわないので予測係数の精度は向上するものの、処理ブロック内の細かい特性を反映することができないため符号化性能が低下してしまう。【００６８】
そこで、この発明によれば、（７）から（１１）のいずれかの動画像符号化装置において、処理ブロックのサイズを、８×８とした。このため、参照画素を間引きすぎてしまわないようにして、予測係数の精度を向上させることができるとともに、ＣＴＵ内の演算回数を抑制しつつ処理ブロック内の細かい特性を反映して、符号化性能を向上させることができる。【００６９】
（１３）  本発明は、複数の色成分を含んで構成される動画像を符号化する動画像符号化装置（例えば、図１の動画像符号化装置ＡＡに相当）と、複数の色成分を含んで構成される動画像を復号する動画像復号装置（例えば、図９の動画像復号装置ＢＢに相当）と、を備える動画像システムであって、前記動画像符号化装置は、フレーム内予測を行う符号化側フレーム内予測手段（例えば、図１のイントラ予測部２０Ａに相当）を備え、前記符号化側フレーム内予測手段は、色差予測対象ブロックに対応する輝度ブロックの周囲にある参照画素を、輝度イントラ予測モードに基づいて間引く符号化側適応間引き輝度参照画素間引き手段（例えば、図２の適応間引き輝度参照画素取得部２１Ａに相当）と、前記符号化側適応間引き輝度参照画素間引き手段による間引き後の参照画素の画素値を取得する符号化側適応間引き輝度参照画素取得手段（例えば、図２の適応間引き輝度参照画素取得部２１Ａに相当）と、前記色差予測対象ブロックの周囲にある参照画素を、前記輝度イントラ予測モードに基づいて間引く符号化側適応間引き色差参照画素間引き手段（例えば、図２の適応間引き色差参照画素取得部２２Ａに相当）と、前記符号化側適応間引き色差参照画素間引き手段による間引き後の参照画素の画素値を取得する符号化側適応間引き色差参照画素取得手段（例えば、図２の適応間引き色差参照画素取得部２２Ａに相当）と、前記符号化側適応間引き輝度参照画素取得手段により取得された画素値と、前記符号化側適応間引き色差参照画素取得手段により取得された画素値と、を用いて予測係数を導出する符号化側予測係数導出手段（例えば、図２の予測係数導出部２３に相当）と、前記色差予測対象ブロックに対応する輝度ブロックのローカル復号画素値と、前記符号化側予測係数導出手段により導出された予測係数と、を用いて当該色差予測対象ブロックを構成する各画素の予測画素値を線形予測する符号化側色差線形予測手段（例えば、図２の色差線形予測部２４に相当）と、を有し、前記動画像復号装置は、フレーム内予測を行う復号側フレーム内予測手段（例えば、図９のイントラ予測部１４０Ａに相当）を備え、前記復号側フレーム内予測手段は、色差予測対象ブロックに対応する輝度ブロックの周囲にある参照画素を、前記輝度イントラ予測モードに基づいて間引く復号側適応間引き輝度参照画素間引き手段（例えば、図２の適応間引き輝度参照画素取得部２１Ａに相当）と、前記復号側適応間引き輝度参照画素間引き手段による間引き後の参照画素の画素値を取得する復号側適応間引き輝度参照画素取得手段（例えば、図２の適応間引き輝度参照画素取得部２１Ａに相当）と、前記色差予測対象ブロックの周囲にある参照画素を、前記輝度イントラ予測モードに基づいて間引く復号側適応間引き色差参照画素間引き手段（例えば、図２の適応間引き色差参照画素取得部２２Ａに相当）と、前記復号側適応間引き色差参照画素間引き手段による間引き後の参照画素の画素値を取得する復号側適応間引き色差参照画素取得手段（例えば、図２の適応間引き色差参照画素取得部２２Ａに相当）と、前記復号側適応間引き輝度参照画素取得手段により取得された画素値と、前記復号側適応間引き色差参照画素取得手段によ���取得された画素値と、を用いて予測係数を導出する復号側予測係数導出手段（例えば、図２の予測係数導出部２３に相当）と、前記色差予測対象ブロックに対応する輝度ブロックのローカル復号画素値と、前記復号側予測係数導出手段により導出された予測係数と、を用いて当該色差予測対象ブロックを構成する各画素の予測画素値を線形予測する復号側色差線形予測手段（例えば、図２の色差線形予測部２４に相当）と、を有することを特徴とする動画像システムを提案している。【００７０】
この発明によれば、フレーム内予測において、色差予測対象ブロックに対応する輝度ブロックの周囲にある参照画素と、色差予測対象ブロックの周囲にある参照画素と、を輝度イントラ予測モードに基づいて間引くこととした。このため、参照画素を輝度成分の予測方法に基づいて間引くことができるので、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。【００７１】
（１４）  本発明は、適応間引き輝度参照画素間引き手段（例えば、図２の適応間引き輝度参照画素取得部２１Ａに相当）、適応間引き輝度参照画素取得手段（例えば、図２の適応間引き輝度参照画素取得部２１Ａに相当）、適応間引き色差参照画素間引き手段（例えば、図２の適応間引き色差参照画素取得部２２Ａに相当）、適応間引き色差参照画素取得手段（例えば、図２の適応間引き色差参照画素取得部２２Ａに相当）、予測係数導出手段（例えば、図２の予測係数導出部２３に相当）、および色差線形予測手段（例えば、図２の色差線形予測部２４に相当）を有してフレーム内予測を行うフレーム内予測手段（例えば、図１のイントラ予測部２０Ａに相当）を備え、複数の色成分を含んで構成される動画像を符号化する動画像符号化装置（例えば、図１の動画像符号化装置ＡＡに相当）における動画像符号化方法であって、前記適応間引き輝度参照画素間引き手段が、色差予測対象ブロックに対応する輝度ブロックの周囲にある参照画素を、輝度イントラ予測モードに基づいて間引く第１のステップと、前記適応間引き輝度参照画素取得手段が、前記適応間引き輝度参照画素間引き手段による間引き後の参照画素の画素値を取得する第２のステップと、前記適応間引き色差参照画素間引き手段が、前記色差予測対象ブロックの周囲にある参照画素を、前記輝度イントラ予測モードに基づいて間引く第３のステップと、前記適応間引き色差参照画素取得手段が、前記適応間引き色差参照画素間引き手段による間引き後の参照画素の画素値を取得する第４のステップと、前記予測係数導出手段が、前記適応間引き輝度参照画素取得手段により取得された画素値と、前記適応間引き色差参照画素取得手段により取得された画素値と、を用いて予測係数を導出する第５のステップと、前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、を備えることを特徴とする動画像符号化方法を提案している。【００７２】
この発明によれば、フレーム内予測において、色差予測対象ブロックに対応する輝度ブロックの周囲にある参照画素と、色差予測対象ブロックの周囲にある参照画素と、を輝度イントラ予測モードに基づいて間引くこととした。このため、参照画素を輝度成分の予測方法に基づいて間引くことができるので、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。【００７３】
（１５）  本発明は、適応間引き輝度参照画素間引き手段（例えば、図２の適応間引き輝度参照画素取得部２１Ａに相当）、適応間引き輝度参照画素取得手段（例えば、図２の適応間引き輝度参照画素取得部２１Ａに相当）、適応間引き色差参照画素間引き手段（例えば、図２の適応間引き色差参照画素取得部２２Ａに相当）、適応間引色差参照画素取得手段（例えば、図２の適応間引き色差参照画素取得部２２Ａに相当）、予測係数導出手段（例えば、図２の予測係数導出部２３に相当）、および色差線形予測手段（例えば、図２の色差線形予測部２４に相当）を有してフレーム内予測を行うフレーム内予測手段（例えば、図９のイントラ予測部１４０Ａに相当）を備え、複数の色成分を含んで構成される動画像を復号する動画像復号装置（例えば、図９の動画像復号装置ＢＢに相当）における動画像復号方法であって、前記適応間引き輝度参照画素間引き手段が、色差予測対象ブロックに対応する輝度ブロックの周囲にある参照画素を、輝度イントラ予測モードに基づいて間引く第１のステップと、前記適応間引き輝度参照画素取得手段が、前記適応間引き輝度参照画素間引き手段による間引き後の参照画素の画素値を取得する第２のステップと、前記適応間引き色差参照画素間引き手段が、前記色差予測対象ブロックの周囲にある参照画素を、前記輝度イントラ予測モードに基づいて間引く第３のステップと、前記適応間引き色差参照画素取得手段が、前記適応間引き色差参照画素間引き手段による間引き後の参照画素の画素値を取得する第４のステップと、前記予測係数導出手段が、前記適応間引き輝度参照画素取得手段により取得された画素値と、前記適応間引き色差参照画素取得手段により取得された画素値と、を用いて予測係数を導出する第５のステップと、前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、を備えることを特徴とする動画像復号方法を提案している。
【００７４】
この発明によれば、フレーム内予測において、色差予測対象ブロックに対応する輝度ブロックの周囲にある参照画素と、色差予測対象ブロックの周囲にある参照画素と、を輝度イントラ予測モードに基づいて間引くこととした。このため、参照画素を輝度成分の予測方法に基づいて間引くことができるので、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。【００７５】
（１６）  本発明は、適応間引き輝度参照画素間引き手段（例えば、図２の適応間引き輝度参照画素取得部２１Ａに相当）、適応間引き輝度参照画素取得手段（例えば、図２の適応間引き輝度参照画素取得部２１Ａに相当）、適応間引き色差参照画素間引き手段（例えば、図２の適応間引き色差参照画素取得部２２Ａに相当）、適応間引き色差参照画素取得手段（例えば、図２の適応間引き色差参照画素取得部２２Ａに相当）、予測係数導出手段（例えば、図２の予測係数導出部２３に相当）、および色差線形予測手段（例えば、図２の色差線形予測部２４に相当）を有してフレーム内予測を行うフレーム内予測手段（例えば、図１のイントラ予測部２０Ａに相当）を備え、複数の色成分を含んで構成される動画像を符号化する動画像符号化装置（例えば、図１の動画像符号化装置ＡＡに相当）における動画像符号化方法を、コンピュータに実行させるためのプログラムであって、前記適応間引き輝度参照画素間引き手段が、色差予測対象ブロックに対応する輝度ブロックの周囲にある参照画素を、輝度イントラ予測モードに基づいて間引く第１のステップと、前記適応間引き輝度参照画素取得手段が、前記適応間引き輝度参照画素間引き手段による間引き後の参照画素の画素値を取得する第２のステップと、前記適応間引き色差参照画素間引き手段が、前記色差予測対象ブロックの周囲にある参照画素を、前記輝度イントラ予測モードに基づいて間引く第３のステップと、前記適応間引き色差参照画素取得手段が、前記適応間引き色差参照画素間引き手段による間引き後の参照画素の画素値を取得する第４のステップと、前記予測係数導出手段が、前記適応間引き輝度参照画素取得手段により取得された画素値と、前記適応間引き色差参照画素取得手段により取得された画素値と、を用いて予測係数を導出する第５のステップと、前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、をコンピュータに実行させるためのプログラムを提案している。【００７６】
この発明によれば、フレーム内予測において、色差予測対象ブロックに対応する輝度ブロックの周囲にある参照画素と、色差予測対象ブロックの周囲にある参照画素と、を輝度イントラ予測モードに基づいて間引くこととした。このため、参照画素を輝度成分の予測方法に基づいて間引くことができるので、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。【００７７】
（１７）  本発明は、適応間引き輝度参照画素間引き手段（例えば、図２の適応間引き輝度参照画素取得部２１Ａに相当）、適応間引き輝度参照画素取得手段（例えば、図２の適応間引き輝度参照画素取得部２１Ａに相当）、適応間引き色差参照画素間引き手段（例えば、図２の適応間引き色差参照画素取得部２２Ａに相当）、適応間引色差参照画素取得手段（例えば、図２の適応間引き色差参照画素取得部２２Ａに相当）、予測係数導出手段（例えば、図２の予測係数導出部２３に相当）、および色差線形予測手段（例えば、図２の色差線形予測部２４に相当）を有してフレーム内予測を行うフレーム内予測手段（例えば、図９のイントラ予測部１４０Ａに相当）を備え、複数の色成分を含んで構成される動画像を復号する動画像復号装置（例えば、図９の動画像復号装置ＢＢに相当）における動画像復号方法を、コンピュータに実行させるためのプログラムであって、前記適応間引き輝度参照画素間引き手段が、色差予測対象ブロックに対応する輝度ブロックの周囲にある参照画素を、輝度イントラ予測モードに基づいて間引く第１のステップと、前記適応間引き輝度参照画素取得手段が、前記適応間引き輝度参照画素間引き手段による間引き後の参照画素の画素値を取得する第２のステップと、前記適応間引き色差参照画素間引き手段が、前記色差予測対象ブロックの周囲にある参照画素を、前記輝度イントラ予測モードに基づいて間引く第３のステップと、前記適応間引き色差参照画素取得手段が、前記適応間引き色差参照画素間引き手段による間引き後の参照画素の画素値を取得する第４のステップと、前記予測係数導出手段が、前記適応間引き輝度参照画素取得手段により取得された画素値と、前記適応間引き色差参照画素取得手段により取得された画素値と、を用いて予測係数を導出する第５のステップと、前記色差線形予測手段が、前記色差予測対象ブロックに対応する輝度ブロックのローカル復号画素値と、前記予測係数導出手段により導出された予測係数と、を用いて当該色差予測対象ブロックを構成する各画素の予測画素値を線形予測する第６のステップと、をコンピュータに実行させるためのプログラムを提案している。
【００７８】
この発明によれば、フレーム内予測において、色差予測対象ブロックに対応する輝度ブロックの周囲にある参照画素と、色差予測対象ブロックの周囲にある参照画素と、を輝度イントラ予測モードに基づいて間引くこととした。このため、参照画素を輝度成分の予測方法に基づいて間引くことができるので、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。
【発明の効果】
【００７９】
本発明によれば、符号化性能の低下を抑制しつつ、色成分間の冗長性を削減するために参照する参照画素数を減少させることができる。
【図面の簡単な説明】
【００８０】
【図１】本発明の第１実施形態に係る動画像符号化装置のブロック図である。
【図２】前記実施形態に係る動画像符号化装置が備えるイントラ予測部のブロック図である。
【図３】前記実施形態に係る動画像符号化装置が備えるイントラ予測部の動作を説明するための図である。
【図４】前記実施形態に係る動画像符号化装置が備えるイントラ予測部の動作を説明するための図である。
【図５】前記実施形態に係る動画像符号化装置が備えるイントラ予測部の動作を説明するための図である。
【図６】前記実施形態に係る動画像符号化装置が備えるイントラ予測部の動作を説明するための図である。
【図７】前記実施形態に係る動画像符号化装置が備えるイントラ予測部の動作を説明するための図である。
【図８】前記実施形態に係る動画像符号化装置が備えるイントラ予測部の動作を説明するための図である。
【図９】本発明の第１実施形態に係る動画像復号装置のブロック図である。
【図１０】本発明の第２実施形態に係る動画像符号化装置が備えるイントラ予測部の動作を説明するための図である。
【図１１】本発明の変形例に係る動画像符号化装置および動画像復号装置が備えるイントラ予測部の動作を説明するための図である。
【図１２】本発明の変形例に係る動画像符号化装置および動画像復号装置が備えるイントラ予測部の動作を説明するための図である。
【図１３】本発明の変形例に係る動画像符号化装置および動画像復号装置が備えるイントラ予測部の動作を説明するための図である。
【図１４】本発明の変形例に係る動画像符号化装置および動画像復号装置が備えるイントラ予測部の動作を説明するための図である。
【図１５】従来例に係る動画像符号化装置のブロック図である。
【図１６】従来例に係る動画像復号装置のブロック図である。
【図１７】輝度成分の予測方法を説明するための図である。
【図１８】従来例に係る動画像符号化装置および動画像復号装置が備えるイントラ予測部の動作を説明するための図である。
【図１９】従来例に係る動画像符号化装置および動画像復号装置が備えるイントラ予測部の動作を説明するための図である。
【図２０】従来例に係る動画像符号化装置および動画像復号装置が備えるイントラ予測部のブロック図である。
【図２１】従来例に係る動画像符号化装置および動画像復号装置が備えるイントラ予測部の動作を説明するための図である。
【図２２】従来例に係る動画像符号化装置および動画像復号装置が備えるイントラ予測部の動作を説明するための図である。
【図２３】従来例に係る動画像符号化装置および動画像復号装置が備えるイントラ予測部の動作を説明するための図である。
【図２４】従来例に係る動画像符号化装置および動画像復号装置が備えるイントラ予測部の動作を説明するための図である。
【発明を実施するための形態】
【００８１】
以下、本発明の実施の形態について図面を参照しながら説明する。なお、以下の実施形態における構成要素は適宜、既存の構成要素などとの置き換えが可能であり、また、他の既存の構成要素との組み合せを含む様々なバリエーションが可能である。したがって、以下の実施形態の記載をもって、特許請求の範囲に記載された発明の内容を限定するものではない。
【００８２】
＜第１実施形態＞
［動画像符号化装置ＡＡの構成および動作］
図１は、本発明の第１実施形態に係る動画像符号化装置ＡＡのブロック図である。動画像符号化装置ＡＡは、図１５に示した従来例に係る動画像符号化装置ＭＭとは、イントラ予測部２０の代わりにイントラ予測部２０Ａを備える点が異なる。なお、動画像符号化装置ＡＡにおいて、動画像符号化装置ＭＭと同一構成要件については、同一符号を付し、その説明を省略する。
【００８３】
図２は、イントラ予測部２０Ａのブロック図である。イントラ予測部２０Ａは、図２０に示した従来例に係るイントラ予測部２０とは、輝度参照画素取得部２１の代わりに適応間引き輝度参照画素取得部２１Ａを備える点と、色差参照画素取得部２２の代わりに適応間引き色差参照画素取得部２２Ａを備える点と、が異なる。
【００８４】
適応間引き輝度参照画素取得部２１Ａは、ローカル復号画像ｆの輝度成分を入力とする。この適応間引き輝度参照画素取得部２１Ａは、符号化単位に応じた処理を行って、輝度参照画素値ｈを生成して出力する。
【００８５】
具体的には、符号化単位がＣＵの最小符号化単位である最小ＣＵブロック以外である場合には、適応間引き輝度参照画素取得部２１Ａは、色差予測対象ブロックに対応する輝度ブロックの周囲にある参照画素の画素値を取得して位相を調整し、輝度参照画素値ｈとして出力する。
【００８６】
一方、入力画像ａが非ＹＵＶ４２０形式の画像でかつ符号化単位が最小ＣＵブロックである場合には、適応間引き輝度参照画素取得部２１Ａは、まず、ローカル復号画像ｆを用いて最も入力画像ａと類似するように、輝度イントラ予測モードを決定する。次に、色差予測対象ブロックに対応する輝度ブロックの周囲にある参照画素を、輝度イントラ予測モードに基づいて間引きし、間引いた後の参照画素の画素値を取得し、輝度参照画素値ｈとして出力する。
【００８７】
適応間引き色差参照画素取得部２２Ａは、ローカル復号画像ｆの色差成分を入力とする。この適応間引き色差参照画素取得部２２Ａは、符号化単位に応じた処理を行って、色差参照画素値ｉを生成して出力する。
【００８８】
具体的には、符号化単位が最小ＣＵブロック以外である場合には、適応間引き色差参照画素取得部２２Ａは、色差予測対象ブロックの周囲にある参照画素の画素値を取得して、色差参照画素値ｉとして出力する。
【００８９】
一方、入力画像ａが非ＹＵＶ４２０形式の画像でかつ符号化単位が最小ＣＵブロックである場合には、適応間引き色差参照画素取得部２２Ａは、まず、ローカル復号画像ｆを用いて最も入力画像ａと類似するように、輝度イントラ予測モードを決定する。次に、色差予測対象ブロックの周囲にある参照画素を、輝度イントラ予測モードに基づいて間引きし、間引いた後の参照画素の画素値を取得し、色差参照画素値ｉとして出力する。
【００９０】
適応間引き輝度参照画素取得部２１Ａおよび適応間引き色差参照画素取得部２２Ａによる輝度イントラ予測モードに基づく参照画素の間引きについて、以下に説明する。ここで、輝度イントラ予測モードを参照することで、輝度成分の予測方法を判別できる。
【００９１】
そこで、輝度成分の予測方法が、ＤＣ、Ｐｌａｎａｒ、または斜め方向の方向予測である場合には、適応間引き輝度参照画素取得部２１Ａは、色差予測対象ブロックに対応する輝度ブロックの周囲にある参照画素を一様に間引いて間引いた後の参照画素の画素値を取得し、適応間引き色差参照画素取得部２２Ａは、色差予測対象ブロックの周囲にある参照画素を一様に間引いて間引いた後の参照画素の画素値を取得する。この場合について、入力画像ａがＹＵＶ４２２形式の画像である場合を図３に示し、入力画像ａがＹＵＶ４４４形式の画像である場合を図６に示す。図３、６は、参照画素が一様に間引かれた結果、参照画素の画素値が１つおきに取得されることを示している。なお、斜め方向の方向予測の場合とは、図１７の予測モード１５から２１の場合のことである。
【００９２】
また、輝度成分の予測方法が、水平または水平に近い方向予測である場合には、適応間引き輝度参照画素取得部２１Ａは、色差予測対象ブロックに対応する輝度ブロックの左側の参照画素のみ画素値を取得し、適応間引き色差参照画素取得部２２Ａは、色差予測対象ブロックの左側の参照画素のみ画素値を取得する。この場合について、入力画像ａがＹＵＶ４２２形式の画像である場合を図４に示し、入力画像ａがＹＵＶ４４４形式の画像である場合を図７に示す。なお、水平または水平に近い方向予測の場合とは、図１７の予測モード２から１４の場合のことである。
【００９３】
また、輝度成分の予測方法が、垂直または垂直に近い方向予測である場合には、適応間引き輝度参照画素取得部２１Ａは、色差予測対象ブロックに対応する輝度ブロックの上側の参照画素のみ画素値を取得し、適応間引き色差参照画素取得部２２Ａは、色差予測対象ブロックの上側の参照画素のみ画素値を取得する。この場合について、入力画像ａがＹＵＶ４２２形式の画像である場合を図５に示し、入力画像ａがＹＵＶ４４４形式の画像である場合を図８に示す。なお、垂直または垂直に近い方向予測の場合とは、図１７の予測モード２２から３４の場合のことである。
【００９４】
［動画像復号装置ＢＢの構成および動作］
図９は、本発明の第１実施形態に係る動画像復号装置ＢＢのブロック図である。動画像復号装置ＢＢは、図１６に示した従来例に係る動画像復号装置ＮＮとは、イントラ予測部１４０の代わりにイントラ予測部１４０Ａを備える点が異なる。なお、動画像復号装置ＢＢにおいて、動画像復号装置ＮＮと同一構成要件については、同一符号を付し、その説明を省略する。
【００９５】
イントラ予測部１４０Ａは、イントラ予測部２０Ａと同様に、図２に示した適応間引き輝度参照画素取得部２１Ａ、適応間引き色差参照画素取得部２２Ａ、予測係数導出部２３、および色差線形予測部２４を備える。
【００９６】
なお、動画像符号化装置ＡＡが備える適応間引き輝度参照画素取得部２１Ａは、符号化単位に応じた処理を行うのに対して、動画像復号装置ＢＢが備える適応間引き輝度参照画素取得部２１Ａは、復号単位に応じた処理を行う。
【００９７】
具体的には、復号単位が最小ＣＵブロック以外である場合には、色差予測対象ブロックに対応する輝度ブロックの周囲にある参照画素の画素値を取得して位相を調整し、輝度参照画素値として出力する。
【００９８】
一方、入力画像ａが非ＹＵＶ４２０形式の画像でかつ復号単位が最小ＣＵブロックである場合には、輝度イントラ予測モードを決定し、色差予測対象ブロックに対応する輝度ブロックの周囲にある参照画素を、輝度イントラ予測モードに基づいて間引きし、間引いた後の参照画素の画素値を取得し、輝度参照画素値として出力する。
【００９９】
また、動画像符号化装置ＡＡが備える適応間引き色差参照画素取得部２２Ａは、符号化単位に応じた処理を行うのに対して、動画像復号装置ＢＢが備える適応間引き色差参照画素取得部２２Ａは、復号単位に応じた処理を行う。
【０１００】
具体的には、復号単位が最小ＣＵブロック以外である場合には、色差予測対象ブロックの周囲にある参照画素の画素値を取得して、色差参照画素値として出力する。
【０１０１】
一方、入力画像ａが非ＹＵＶ４２０形式の画像でかつ復号単位が最小ＣＵブロックである場合には、輝度イントラ予測モードを決定し、色差予測対象ブロックの周囲にある参照画素を、輝度イントラ予測モードに基づいて間引きし、間引いた後の参照画素の画素値を取得し、色差参照画素値として出力する。
【０１０２】
以上の動画像符号化装置ＡＡおよび動画像復号装置ＢＢによれば、以下の効果を奏することができる。
【０１０３】
動画像符号化装置ＡＡは、適応間引き輝度参照画素取得部２１Ａにより、符号化単位が最小ＣＵブロックである場合に、色差予測対象ブロックに対応する輝度ブロックの周囲にある参照画素を輝度イントラ予測モードに基づいて間引きすることで、これら参照画素を輝度成分の予測方法に基づいて間引く。また、適応間引き色差参照画素取得部２２Ａにより、符号化単位が最小ＣＵブロックである場合に、色差予測対象ブロックの周囲にある参照画素を、輝度イントラ予測モードに基づいて間引きすることで、これら参照画素を輝度成分の予測方法に基づいて間引く。
【０１０４】
また、動画像復号装置ＢＢは、適応間引き輝度参照画素取得部２１Ａにより、復号単位が最小ＣＵブロックである場合に、色差予測対象ブロックに対応する輝度ブロックの周囲にある参照画素を輝度イントラ予測モードに基づいて間引きすることで、これら参照画素を輝度成分の予測方法に基づいて間引く。また、適応間引き色差参照画素取得部２２Ａにより、復号単位が最小ＣＵブロックである場合に、色差予測対象ブロックの周囲にある参照画素を、輝度イントラ予測モードに基づいて間引きすることで、これら参照画素を輝度成分の予測方法に基づいて間引く。
【０１０５】
以上より、動画像符号化装置ＡＡおよび動画像復号装置ＢＢは、画像の特徴を考慮しつつ、色成分間の冗長性を削減するために参照する画素数を半分に減少させることができる。したがって、符号化性能の低下を抑制しつつ、色成分間の冗長性を削減するために参照する参照画素数を減少させることができる。
【０１０６】
＜第２実施形態＞
［動画像符号化装置ＣＣの構成および動作］
本発明の第２実施形態に係る動画像符号化装置ＣＣについて、以下に説明する。動画像符号化装置ＣＣは、図１に示した本発明の第１実施形態に係る動画像符号化装置ＡＡとは、イントラ予測部２０Ａの代わりにイントラ予測部２０Ｂを備える点が異なる。なお、動画像符号化装置ＣＣにおいて、動画像符号化装置ＡＡと同一構成要件については、同一符号を付し、その説明を省略する。
【０１０７】
イントラ予測部２０Ｂは、図１に示した本発明の第１実施形態に係るイントラ予測部２０Ａとは、適応間引き輝度参照画素取得部２１Ａの代わりに適応間引き輝度参照画素取得部２１Ｂを備える点と、適応間引き色差参照画素取得部２２Ａの代わりに適応間引き色差参照画素取得部２２Ｂを備える点と、が異なる。
【０１０８】
適応間引き輝度参照画素取得部２１Ｂは、ローカル復号画像ｆの輝度成分を入力とする。この適応間引き輝度参照画素取得部２１Ｂは、符号化単位によらず常に、まず、ローカル復号画像ｆを用いて最も入力画像ａと類似するように、輝度イントラ予測モードを決定する。次に、色差予測対象ブロックに対応する輝度ブロックの周囲にある参照画素を、輝度イントラ予測モードに基づいて間引きし、間引いた後の参照画素の画素値を取得し、輝度参照画素値ｈとして出力する。
【０１０９】
適応間引き色差参照画素取得部２２Ｂは、ローカル復号画像ｆの色差成分を入力とする。この適応間引き色差参照画素取得部２２Ｂは、符号化単位によらず常に、まず、ローカル復号画像ｆを用いて最も入力画像ａと類似するように、輝度イントラ予測モードを決定する。次に、色差予測対象ブロックの周囲にある参照画素を、輝度イントラ予測モードに基づいて間引きし、間引いた後の参照画素の画素値を取得し、色差参照画素値ｉとして出力する。
【０１１０】
例えば図１０に、符号化単位が最小ＴＵブロックでかつ入力画像ａがＹＵＶ４４４形式の画像である場合に参照画素を一様に間引いた例を示す。
【０１１１】
［動画像復号装置ＤＤの構成および動作］
本発明の第２実施形態に係る動画像復号装置ＤＤについて、以下に説明する。動画像復号装置ＤＤは、図９に示した本発明の第１実施形態に係る動画像復号装置ＢＢとは、イントラ予測部１４０Ａの代わりにイントラ予測部１４０Ｂを備える点が異なる。なお、動画像復号装置ＤＤにおいて、動画像復号装置ＢＢと同一構成要件については、同一符号を付し、その説明を省略する。
【０１１２】
イントラ予測部１４０Ｂは、イントラ予測部２０Ｂと同様に、適応間引き輝度参照画素取得部２１Ｂ、適応間引き色差参照画素取得部２２Ｂ、予測係数導出部２３、および色差線形予測部２４を備える。
【０１１３】
なお、動画像復号装置ＤＤが備える適応間引き輝度参照画素取得部２１Ｂは、復号単位によらず常に、輝度イントラ予測モードを決定し、色差予測対象ブロックに対応する輝度ブロックの周囲にある参照画素を、輝度イントラ予測モードに基づいて間引きし、間引いた後の参照画素の画素値を取得し、輝度参照画素値として出力する。
【０１１４】
また、動画像復号装置ＤＤが備える適応間引き色差参照画素取得部２２Ｂは、復号単位によらず常に、輝度イントラ予測モードを決定し、色差予測対象ブロックの周囲にある参照画素を、輝度イントラ予測モードに基づいて間引きし、間引いた後の参照画素の画素値を取得し、色差参照画素値として出力する。
【０１１５】
以上の動画像符号化装置ＣＣおよび動画像復号装置ＤＤによれば、動画像符号化装置ＡＡおよび動画像復号装置ＢＢが奏することのできる上述の効果に加えて、以下の効果を奏することができる。
【０１１６】
動画像符号化装置ＣＣは、参照画素の間引きを、符号化単位によらず常に行う。また、動画像復号装置ＤＤは、参照画素の間引きを、復号単位によらず常に行う。このため、最小ＣＵブロックよりも大きいブロックにおいても、参照画素の間引きを行うことができるので、予測係数導出部２３の計算負荷を軽減することができる。
【０１１７】
なお、本発明の動画像符号化装置ＡＡ、ＣＣや動画像復号装置ＢＢ、ＤＤの処理を、コンピュータ読み取り可能な非一時的な記録媒体に記録し、この記録媒体に記録されたプログラムを動画像符号化装置ＡＡ、ＣＣや動画像復号装置ＢＢ、ＤＤに読み込ませ、実行することによって、本発明を実現できる。
【０１１８】
ここで、上述の記録媒体には、例えば、ＥＰＲＯＭやフラッシュメモリといった不揮発性のメモリ、ハードディスクといった磁気ディスク、ＣＤ−ＲＯＭなどを適用できる。また、この記録媒体に記録されたプログラムの読み込みおよび実行は、動画像符号化装置ＡＡ、ＣＣや動画像復号装置ＢＢ、ＤＤに設けられたプロセッサによって行われる。
【０１１９】
また、上述のプログラムは、このプログラムを記憶装置などに格納した動画像符号化装置ＡＡ、ＣＣや動画像復号装置ＢＢ、ＤＤから、伝送媒体を介して、あるいは、伝送媒体中の伝送波により他のコンピュータシステムに伝送されてもよい。ここで、プログラムを伝送する「伝送媒体」は、インターネットなどのネットワーク（通信網）や電話回線などの通信回線（通信線）のように情報を伝送する機能を有する媒体のことをいう。
【０１２０】
また、上述のプログラムは、上述の機能の一部を実現するためのものであってもよい。さらに、上述の機能を動画像符号化装置ＡＡ、ＣＣや動画像復号装置ＢＢ、ＤＤにすでに記録されているプログラムとの組み合せで実現できるもの、いわゆる差分ファイル（差分プログラム）であってもよい。
【０１２１】
以上、この発明の実施形態につき、図面を参照して詳述してきたが、具体的な構成はこの実施形態に限られるものではなく、この発明の要旨を逸脱しない範囲の設計なども含まれる。
【０１２２】
例えば、上述の第１実施形態では、入力画像ａが非ＹＵＶ４２０形式の画像でかつ符号化単位または復号単位が最小ＣＵブロックである場合に、輝度イントラ予測モードに基づいて参照画素を間引くものとした。しかし、これに限らず、例えば入力画像ａがＹＵＶ４２０形式の画像でかつ符号化単位または復号単位が最小ＣＵブロックである場合にも、輝度イントラ予測モードに基づいて参照画素を間引いてもよい。例えば図１１に、入力画像ａがＹＵＶ４２０形式の画像である場合に参照画素を一様に間引いた例を示す。
【０１２３】
また、上述の各実施形態では、参照画素を間引いて参照画素数を１／２にしたが、これに限らず、参照画素を間引いて参照画素数を１／ｎにしてもよい（ただし、ｎは、ｎ＞０を満たす任意の２のべき乗）。例えば図１２、１３、１４に、入力画像ａがＹＵＶ４４４形式の画像で、かつ、参照画素を間引いて参照画素数を１／４にした場合を示す。
【０１２４】
特に、図１２は、参照画素を一様に間引いた場合を示している。この図１２に示す例では、図６に示した本発明の第１実施形態と比べて、参照画素の画素値が１つおきに取得され、輝度参照画素数および色差参照画素数がともに４画素になっている。これに対して、従来のＣＵごとにパラメータを導出した場合には、図２１や図２４を用いて上述したように、輝度参照画素数および色差参照画素数がともに１６画素であった。このため、参照画素数は、従来と比べて１／４になっている。
【０１２５】
また、図１３は、色差予測対象ブロックに対応する輝度ブロックの左側の参照画素と、色差予測対象ブロックの左側の参照画素と、のみ画素値を取得する場合を示している。この図１３に示す例では、図７に示した本発明の第１実施形態と比べて、輝度ブロックおよび色差予測対象ブロックのそれぞれの左側の参照画素の画素値が１つおきに取得され、輝度参照画素数および色差参照画素数がともに４画素になっている。このため、参照画素数は、従来と比べて１／４になっている。
【０１２６】
また、図１４は、色差予測対象ブロックに対応する輝度ブロックの上側の参照画素と、色差予測対象ブロックの上側の参照画素と、のみ画素値を取得する場合を示している。この図１４に示す例では、図８に示した本発明の第１実施形態と比べて、輝度ブロックおよび色差予測対象ブロックのそれぞれの上側の参照画素の画素値が１つおきに取得され、輝度参照画素数および色差参照画素数がともに４画素になっている。このため、参照画素数は、従来と比べて１／４になっている。
【符号の説明】
【０１２７】
ＡＡ、ＣＣ、ＭＭ・・・動画像符号化装置
ＢＢ、ＤＤ、ＮＮ・・・動画像復号装置
２０、２０Ａ、２０Ｂ、１４０、１４０Ａ、１４０Ｂ・・・イントラ予測部
２１、２１Ａ、２１Ｂ・・・適応間引き輝度参照画素取得部
２２、２２Ａ、２２Ｂ・・・適応間引き色差参照画素取得部
２３・・・予測係数導出部
２４・・・色差線形予測部
【図１】
0006023332.tif 000006
【図２】
0006023332.tif 000007
【図３】
0006023332.tif 000008
【図４】
0006023332.tif 000009
【図５】
0006023332.tif 000010
【図６】
0006023332.tif 000011
【図７】
0006023332.tif 000012
【図８】
0006023332.tif 000013
【図９】
0006023332.tif 000014
【図１０】
0006023332.tif 000015
【図１１】
0006023332.tif 000016
【図１２】
0006023332.tif 000017
【図１３】
0006023332.tif 000018
【図１４】
0006023332.tif 000019
【図１５】
0006023332.tif 000020
【図１６】
0006023332.tif 000021
【図１７】
0006023332.tif 000022
【図１８】
0006023332.tif 000023
【図１９】
0006023332.tif 000024
【図２０】
0006023332.tif 000025
【図２１】
0006023332.tif 000026
【図２２】
0006023332.tif 000027
【図２３】
0006023332.tif 000028
【図２４】
0006023332.tif 000029